(57)【要約】  送信経路、複数の局部発振器および制御ユニットを備える装置。制御ユニットは、次にくるリソースブロック(RB)割振りを受け取るように、次にくるRB割振りが現在のRB割振りと同じであるかどうかを判定するように、次にくるRB割振りが現在のRB割振りとは異なると判定することに応じて、複数のLOのうち使用されていないLOを選択するように、次にくるRB割振りに関連する割振りRBの数が閾値を超えるかどうかを判定するように、また、次にくるRB割振りに関連する割振りRBの数が閾値を超えないと判定することに応じて、選択されたLOを次にくるRB割振りに対応する周波数に同調させるように、構成することができる。
2018534820.tif 000002
【特許請求の範囲】
【請求項１】
送信経路と、
複数の局部発振器(LO)と、
制御ユニットであって、
次にくるリソースブロック(RB)割振りを受け取るように、
前記次にくるRB割振りが現在のRB割振りと同じであるかどうかを判定するように、かつ
前記次にくるRB割振りが前記現在のRB割振りとは異なると判定することに応じて、
前記複数のLOのうち使用されていないLOを選択するように、
前記次にくるRB割振りに関連する割振りRBの数が閾値を超えるかどうかを判定するように、かつ
前記次にくるRB割振りに関連する割振りRBの前記数が前記閾値を超えないと判定することに応じて、前記選択されたLOを前記次にくるRB割振りに対応する周波数に同調させるように、構成された制御ユニットと
を備える、周波数ホッピングアップリンク送信のための装置。
【請求項２】
前記制御ユニットがさらに、前記次にくるRB割振りに従って、前記選択されたLOから出力信号を供給して、前記送信経路を介してデータを送信するように構成される、請求項1に記載の装置。
【請求項３】
前記制御ユニットから1つまたは複数の制御信号を受け取るように構成された位相ロックループ(PLL)セレクタをさらに備え、
前記複数のLOのそれぞれがPLLおよび対応する電圧制御発振器(VCO)(PLL/VCO)を備える、請求項2に記載の装置。
【請求項４】
前記複数のPLL/VCOの第1のPLL/VCOが第1の分周器と結合され、前記複数のPLL/VCOの第2のPLL/VCOが第2の分周器と結合され、前記PLLセレクタがさらに、前記制御ユニットからの前記1つまたは複数の制御信号に少なくとも一部は基づいて、前記第1の分周器の第1の出力信号から前記第2の分周器の第2の出力信号へと切り替えて前記第2の出力信号を前記送信経路に供給するように構成される、請求項3に記載の装置。
【請求項５】
前記制御ユニットがさらに、第1のシンボルが、前記次にくるRB割振りに従って前記送信経路を介して送信される間に、前記切り替えが実行されるように構成される、請求項4に記載の装置。
【請求項６】
前記制御ユニットがさらに、前記切り替えがサイクリックプレフィックス(CP)の送信中に実行されるように構成される、請求項4に記載の装置。
【請求項７】
前記複数のPLL/VCOの第1のPLL/VCOおよび前記複数のPLL/VCOの第2のPLL/VCOが共有分周器と結合され、前記PLLセレクタが、前記制御ユニットからの前記1つまたは複数の制御信号に少なくとも一部は基づいて、前記第1のPLL/VCOの出力信号から前記第2のPLL/VCOの前記出力信号へと切り替えて、前記第2のPLL/VCOの前記出力信号を前記共有分周器に供給するように構成される、請求項3に記載の装置。
【請求項８】
前記制御ユニットがさらに、第1のシンボルが、前記次にくるRB割振りに従って前記送信経路を介して送信される間に、前記切り替えが実行されるように構成される、請求項7に記載の装置。
【請求項９】
前記制御ユニットがさらに、前記切り替えがサイクリックプレフィックス(CP)の送信中に実行されるように構成される、請求項7に記載の装置。
【請求項１０】
前記送信経路がベースバンドフィルタ(BBF)および混合器を備える、請求項1に記載の装置。
【請求項１１】
前記BBFが、前記選択されたLOの同調周波数および前記次にくるRB割振りの要求周波数に基づいてベースバンド信号を生成するように構成され、前記混合器が、前記選択されたLOの前記同調周波数の信号を前記BBFからの前記ベースバンド信号で変調するように構成される、請求項10に記載の装置。
【請求項１２】
前記制御ユニットがさらに、
前記次にくるRB割振りが関連する割振りRBの前記数が前記閾値を超えると判定することに応じて、前記選択されたLOを割当てチャネルに対応する周波数に同調させるように構成される、請求項1に記載の装置。
【請求項１３】
前記割当てチャネルに対応する前記周波数が前記割当てチャネルの中心周波数を含む、請求項12に記載の装置。
【請求項１４】
前記制御ユニットがさらに、
前記次にくるRB割振りが前記現在のRB割振りと同じであると判定することに応じて、前記現在のRB割振りに従って、現在使用されているLOを利用し続けてデータを送信するように構成される、請求項1に記載の装置。
【請求項１５】
前記制御ユニットがさらに、前記選択されたLOを、少なくとも一部は粗同調(CT)較正を実行し、かつ前記選択されたLOを前記次にくるRB割振りに対応する前記周波数に安定させることによって同調させるように構成される、請求項1に記載の装置。
【請求項１６】
前記制御ユニットがさらに、前記選択されたLOを、少なくとも一部は粗同調(CT)較正および2点変調(TPM)を実行することによって同調させるように構成される、請求項1に記載の装置。
【請求項１７】
周波数ホッピングアップリンク送信の方法であって、
次にくるリソースブロック(RB)割振りを受け取るステップと、
前記次にくるRB割振りが現在のRB割振りと同じであるかどうかを判定するステップと、
前記次にくるRB割振りが前記現在のRB割振りとは異なると判定することに応じて、
複数の局部発振器(LO)のうち使用されていないLOを選択するステップと、
前記次にくるRB割振りに関連する割振りRBの数が閾値を超えるかどうかを判定するステップと、
前記次にくるRB割振りに関連する割振りRBの前記数が前記閾値を超えないと判定することに応じて、前記選択されたLOを前記次にくるRB割振りに対応する周波数に同調させるステップとを含む、方法。
【請求項１８】
前記次にくるRB割振りに従って、前記選択されたLOの出力信号を供給して、送信経路を介してデータを送信するステップをさらに含む、請求項17に記載の方法。
【請求項１９】
前記複数のLOのそれぞれが位相ロックループ(PLL)および対応する電圧制御発振器(VCO)(PLL/VCO)を備え、
前記複数のPLL/VCOの第1のPLL/VCOが第1の分周器と結合され、前記複数のPLL/VCOの第2のPLL/VCOが第2の分周器と結合される、請求項17に記載の方法。
【請求項２０】
前記第1の分周器の出力信号から前記第2の分周器の出力信号へと切り替えて、前記第2の分周器の前記出力信号を送信経路に供給するステップをさらに含む、請求項19に記載の方法。
【請求項２１】
前記複数のLOの各々が、位相ロックループ(PLL)および対応する電圧制御発振器(VCO)(PLL/VCO)を備え、
前記複数のPLL/VCOの第1のPLL/VCOおよび前記複数のPLL/VCOの第2のPLL/VCOが共有分周器と結合される、請求項17に記載の方法。
【請求項２２】
前記第1のPLL/VCOの出力信号から前記第2のPLL/VCOの出力信号へと切り替えて、前記第2のPLL/VCOの前記出力信号を前記共有分周器に供給するステップをさらに含む、請求項21に記載の方法。
【請求項２３】
前記切り替えが、前記次にくるRB割振りに従って送信される第1のシンボルのサイクリックプレフィックス(CP)の送信中に実行される、請求項22に記載の方法。
【請求項２４】
前記次にくるRB割振りが関連する割振りRBの前記数が前記閾値を超えると判定することに応じて、前記選択されたLOを割当てチャネルに対応する周波数に同調させるステップをさらに含む、請求項17に記載の方法。
【請求項２５】
切り替えが、前記次にくるRB割振りに従って送信される第1のシンボルのサイクリックプレフィックス(CP)の送信中に実行される、請求項24に記載の方法。
【請求項２６】
前記次にくるRB割振りが前記現在のRB割振りと同じであると判定することに応じて、前記現在のRB割振りに従って、現在使用されているLOを利用し続けてデータを送信するステップをさらに含む、請求項17に記載の方法。
【請求項２７】
前記選択されたLOを同調させるステップが、粗同調(CT)較正を実行し、かつ前記選択されたLOを前記次にくるRB割振りに対応する前記周波数に安定させるステップを含む、請求項17に記載の方法。
【請求項２８】
前記選択されたLOを同調させるステップが、粗同調(CT)較正および2点変調(TPM)を実行するステップを含む、請求項17に記載の方法。
【請求項２９】
周波数ホッピングアップリンク送信のための装置であって、
出力信号を複数の局部発振器(LO)から供給するための手段と、
次にくるリソースブロック(RB)割振りを受け取るための、かつ前記次にくるRB割振りが現在のRB割振りと同じであるかどうかを判定するための制御手段とを備え、
前記制御手段が、前記次にくるRB割振りが前記現在のRB割振りとは異なると判定することに応じて、
前記複数のLOののうち使用されていないLOを選択し、
前記次にくるRB割振りに関連する割振りRBの数が閾値を超えるかどうかを判定し、
前記次にくるRB割振りに関連する割振りRBの前記数が前記閾値を超えないと判定することに応じて、前記選択されたLOを前記次にくるRB割振りに対応する周波数に同調させる、装置。
【請求項３０】
非一時的コンピュータ可読記憶媒体であって、
次にくるリソースブロック(RB)割振りを受け取ること、
前記次にくるRB割振りが現在のRB割振りと同じであるかどうかを判定すること、ならびに
前記次にくるRB割振りが前記現在のRB割振りとは異なると判定することに応じて、
現在使用されていない複数の局部発振器(LO)のうち使用されていないLOを選択すること、
前記次にくるRB割振りに関連する割振りRBの数が閾値を超えるかどうかを判定すること、および
前記次にくるRB割振りに関連する割振りRBの前記数が前記閾値を超えないと判定することに応じて、前記選択されたLOを前記次にくるRB割振りに対応する周波数に同調させること、
を含む動作を1つまたは複数のプロセッサに実行させるための命令が記憶されている、非一時的コンピュータ可読記憶媒体。
【発明の詳細な説明】
【技術分野】
【０００１】
本開示は、一般にワイヤレス通信システムに関し、より詳細にはスプリアス信号放射を低減する技法に関する。
【背景技術】
【０００２】
ロングタームエボルーション(LTE)通信ネットワークにおいては、アップリンク無線リソースが、異なるアプリケーション、データ速度、およびサービスの質(QoS)の要件に基づいて、ユーザ機器(UE)に動的に割り振ることができる。具体的には、あるLTE通信ネットワーク内のUEには、UEからのアップリンク送信に対し、可変数のリソースブロック(RB)を割り振ることができる。各RBは、周波数ドメインにおいて特定の範囲(たとえば、180キロヘルツ(kHz))を占有しながら、時間ドメインにおいて1つのスロット期間(たとえば、0.5ミリ秒(ms))にわたり得る。UEへのRB割振りは、連続するLTEサブフレーム(すなわち、2つの0.5msスロット期間)の間で帯域幅と周波数範囲の両方が違い得る。RB割振りに基づいてUEは、割振りRBの中心周波数においてデータを送信することができる。
【０００３】
従来の送信経路は、局部発振器(LO)からのキャリア信号をベースバンドフィルタ(BBF)からの、送信されるべきデータを表す変調信号で変調する周波数混合器を含み得る。キャリア信号は比較的高い固定周波数を有し得る。対照的に、変調信号の周波数はベースバンドにあり得る(すなわち、ゼロヘルツに近い)。さらに、変調信号の周波数は、割振りRBの中心周波数の出力信号を得るために変えられ得る。変調信号をベースバンドからキャリア信号の周波数までアップコンバートすると、たとえば、限定ではないが、残留側波帯(RSB)信号および相互変調(IM)生成物(たとえば、一次および二次の4FMOD信号)を含む、スプリアス信号放射が生じ得る。
【０００４】
特に、RB割振りが狭いとき(たとえば、1つのRB)、従来の送信経路の動作では、UEに割り振られた周波数帯域の外にはみ出るSEMを発生し、他のチャネルによる送信に干渉するおそれがある。UEは、第3世代パートナシッププロジェクト(3GPP)LTE規格に適合すべくスプリアス信号放射を抑制するために、追加最大出力低減(AMPR)パラメータを取り入れることができる。しかし、AMPRパラメータを取り入れるとUEの出力が低減し、そのためUEのカバレージエリアが制限され得る。
【発明の概要】
【課題を解決するための手段】
【０００５】
周波数ホッピングアップリンク送信のための装置および方法が提供される。
【０００６】
様々な実施形態により、周波数ホッピングアップリンク送信のための装置が提供される。この装置は、送信経路、複数の局部発振器(LO)および制御ユニットを含み得る。
【０００７】
制御ユニットは、次にくるリソースブロック(RB)割振りを受け取るように、次にくるRB割振りが現在のRB割振りと同じであるかどうかを判定するように、また、次にくるRB割振りが現在のRB割振りとは異なると判定することに応じて、複数のLOのうち使用されていないLOを選択するように、次にくるRB割振りに関連する割振りRBの数が閾値を超えるかどうかを判定するように、また、次にくるRB割振りに関連する割振りRBの数が閾値を超えないと判定することに応じて、選択されたLOを次にくるRB割振りに対応する周波数に同調させるように、構成することができる。
【０００８】
様々な実施形態により、周波数ホッピングアップリンク送信の方法が提供される。この方法は、次にくるRB割振りを受け取るステップと、次にくるRB割当てが現在のRB割振りと同じであるかどうかを判定するステップと、次にくるRB割振りが現在のRB割振りとは異なると判定することに応じて、複数のLOのうち使用されていないLOを選択するステップと、次にくるRB割振りに関連する割振りRBの数が閾値を超えるかどうかを判定するステップと、次にくるRB割振りに関連する割振りRBの数が閾値を超えないと判定することに応じて、選択されたLOを次にくるRB割振りに対応する周波数に同調させるステップとを含む。
【０００９】
様々な実施形態により、周波数ホッピングアップリンク送信のための装置が提供される。この装置は、出力信号を複数のLOから供給するための手段と、次にくるRB割振りを受け取るための、かつ次にくるRB割振りが現在のRB割振りと同じであるかどうかを判定するための制御手段とを備え、この制御手段は、次にくるRB割振りが現在のRB割振りとは異なると判定することに応じて、複数のLOののうち使用されていないLOを選択し、次にくるRB割振りに関連する割当てRBの数が閾値を超えるかどうかを判定し、また、次にくるRB割振りに関連する割振りRBの数が閾値を超えないと判定することに応じて、選択されたLOを次にくるRB割振りに対応する周波数に同調させる。
【００１０】
様々な実施形態により、周波数ホッピングアップリンク送信のためのコンピュータプログラム製品が提供される。このコンピュータプログラム製品は、次にくるRB割振りを受け取ること、次にくるRB割振りが現在のRB割振りと同じであるかどうかを判定すること、ならびに、次にくるRB割振りが現在のRB割振りとは異なると判定することに応じて、現在使用されていない複数のLOのうち使用されていないLOを選択すること、次にくるRB割振りに関連する割振りRBの数が閾値を超えるかどうかを判定すること、および、次にくるRB割振りに関連する割振りRBの数が閾値を超えないと判定することに応じて、選択されたLOを次にくるRB割振りに対応する周波数に同調させることを含む動作を1つまたは複数のプロセッサに実行させるための命令が記憶されている、非一時的コンピュータ可読媒体を含み得る。
【００１１】
本開示の他の特徴および利点は、本開示の態様を例として示す以下の説明から明らかになるはずである。
【００１２】
本開示の態様および特徴は、添付の図面を参照して例示的な実施形態について説明することによって、より明らかになろう。
【図面の簡単な説明】
【００１３】
【図１】様々な実施形態によるネットワーク環境を示すシステム図である。
【図２】様々な実施形態によるモバイル通信デバイスを示すブロック図である。
【図３Ａ】いくつかの実施形態による無線周波数(RF)モジュールを示すブロック図である。
【図３Ｂ】いくつかの実施形態によるRFモジュールを示すブロック図である。
【図４】様々な実施形態による周波数ホッピングアップリンク送信の処理を示す流れ図である。
【発明を実施するための形態】
【００１４】
いくつかの実施形態が本明細書に記載されているが、これらの実施形態は例として提示されているにすぎず、保護の範囲を限定するものではない。本明細書に記載の装置および方法は、他の様々な形態で具現化することができる。さらに、本明細書に記載の例示的な装置および方法の形態の様々な省略、置換え、および変更が、保護の範囲から逸脱せずに行われてよい。
【００１５】
図1は、様々な実施形態によるネットワーク環境100を示すシステム図である。図1を参照すると、通信ネットワーク120は、たとえば、限定ではないが、第1のeNodeB 122および第2のeNodeB 124を含め、1つまたは複数の進化型ユニバーサル移動体通信システム(UMTS)地表ワイヤレスアクセス・ネットワーク(E-UTRAN)ノードB(eNodeB)を含むことができる。通信ネットワーク120は、たとえば、限定ではないが、ワイヤレスまたはモバイル通信ネットワークとすることができる。
【００１６】
通信ネットワーク120は、LTE通信ネットワークとすることができる。しかし、当業者には、通信ネットワーク120が、本開示の範囲から逸脱することなく、たとえば、限定ではないが、広帯域符号分割多重アクセス(WCDMA(登録商標))、汎欧州デジタル移動電話方式(GSM(登録商標))、および時間分割同期符号分割多元接続(TD-SCDMA)を含む別の、および/または追加の無線アクセス技術(RAT)をサポートできることが理解できる。
【００１７】
モバイル通信デバイス110は、サブスクリプション115によって第1のeNodeB 122を介してネットワーク120と通信することができる。たとえば、モバイル通信デバイス110は、第1のeNodeB 122を介して通信ネットワーク120との間でデータを送受信することができる。しかし、当業者には、モバイル通信デバイス110が、本開示の範囲から逸脱することなく、サブスクリプション115によって別のeNodeB(たとえば、第2のeNodeB 124)を介して通信ネットワーク120と通信できることが理解できる。さらに、当業者には、モバイル通信デバイス110が、本開示の範囲から逸脱することなく、サブスクリプション115および/または別のサブスクリプションによって別の、および/または追加の通信ネットワークと通信できることが理解できる。
【００１８】
図2は、様々な実施形態によるモバイル通信デバイス110を示すブロック図である。図1および図2を参照すると、モバイル通信デバイス110は、制御ユニット210、通信ユニット220、加入者識別モジュール(SIM)240、ユーザインターフェース250、および記憶ユニット260を含むことができる。
【００１９】
モバイル通信デバイス110は、たとえば、限定ではないが、通信ネットワーク120を含む1つまたは複数の通信ネットワークとワイヤレスで通信できるどんなデバイスでもよい。モバイル通信デバイス110は、たとえば、限定ではないが、スマートフォン、タブレットPC、またはラップトップコンピュータでよい。
【００２０】
SIM240は、通信ネットワーク120上で通信ユニット220をサブスクリプション115と関連付けることができる。モバイル通信デバイス110は、単一のSIM(たとえば、SIM 240)を含むものと図示されているが、当業者には、モバイル通信デバイス110が、本開示の範囲から逸脱することなく追加のSIMを含み得ることが理解できる。追加のSIMは、通信ネットワーク120または別の通信ネットワーク上で、通信ユニット220を別のサブスクリプションと関連付けることができる。
【００２１】
SIM 240は汎用集積回路カード(UICC)でよく、これは、SIMアプリケーションおよび/または汎用SIM(USIM)アプリケーションで構成されて、GSM(登録商標)ネットワークおよび/またはUMTSネットワークへのアクセスが可能になっている。UICCはまた、電話帳および他のアプリケーションを保存することもできる。あるいは、CDMAネットワークにおいて、SIMは、カード上のUICC取り外し可能ユーザ識別モジュール(R-UIM)またはCDMA加入者識別モジュール(CSIM)でもよい。SIMカードは、中央処理ユニット(CPU)、読み出し専用メモリ(ROM)、ランダムアクセスメモリ(RAM)、電気的消去可能プログラム可能読み出し専用メモリ(EEPROM)、および入出力(I/O)回路を有することができる。集積回路カード識別(ICCID)SIMシリアル番号は、識別のためにSIMカード上に印刷することができる。しかし、SIMは、モバイル通信デバイス110のメモリの一部分に実装されてもよく、したがって、別個のまたは取り外し可能な回路、チップ、またはカードである必要はない。
【００２２】
SIM 240は、ユーザアカウント情報、国際モバイル加入者識別(IMSI)、SIMアプリケーションツールキット(SAT)コマンドのセット、および他のネットワークプロビジョニング情報を記憶するとともに、ユーザの関係先の電話帳データベースの記憶空間を提供することができる。ネットワークプロビジョニング情報の一部として、SIM 240は、SIMカードネットワークオペレータプロバイダを示すためのホーム識別子(たとえば、システム識別番号(SID)/ネットワーク識別番号(NID)の対、ホーム公衆陸上モバイルネットワーク(HPLMN)コードなど)を記憶することができる。
【００２３】
通信ユニット220はRF回路230を含むことができる。RF回路230は、たとえば、限定ではないが、RFモジュール232およびアンテナ234を含み得る。モバイル通信デバイス110は、単一の通信ユニット(たとえば、通信ユニット220)を含むものと図示されているが、当業者には、モバイル通信デバイス110が、本開示の範囲から逸脱することなく追加の通信ユニットを含み得ることが理解できる。
【００２４】
ユーザインターフェース250は入力ユニット252を含み得る。入力ユニット252は、たとえば、限定ではないが、キーボードまたはタッチパネルでよい。ユーザインターフェース250はさらに、出力ユニット254を含み得る。出力ユニット254は、たとえば、限定ではないが、液晶ディスプレイ(LCD)または発光ダイオード(LED)ディスプレイでよい。当業者には、本開示の範囲から逸脱することなく、他のタイプまたは形態の入力ユニットおよび出力ユニットを使用できることが理解されよう。
【００２５】
制御ユニット210は、たとえば、限定ではないが、RFモジュール232によって実行される周波数合成が含まれる通信ユニット220の機能を制御することを含めて、モバイル通信デバイス110の全動作を制御するように構成することができる。制御ユニット210は、たとえば、限定ではないが、マイクロプロセッサ(たとえば、汎用プロセッサ、ベースバンドモデムプロセッサなど)またはマイクロコントローラでよい。
【００２６】
記憶ユニット260は、アプリケーションプログラム、アプリケーションデータ、およびユーザデータを記憶するように構成することができる。記憶ユニット260に記憶されたアプリケーションプログラムのうちの少なくともいくつかは、モバイル通信デバイス110の動作のために制御ユニット210によって実行することができる。
【００２７】
図3Aは、いくつかの実施形態によるRFモジュール232を示すブロック図である。図1、図2、および図3Aを参照すると、RFモジュール232は、送信経路300およびPLLセレクタ340を含み得る。
【００２８】
RFモジュール232はさらに、複数の局部発振器(LO)を含み得る。複数の発振器は、複数の位相ロックループ(PLL)を対応する電圧制御発振器(VCO)とともに(PLL/VCO)、たとえば、限定ではないが、第1のPLL/VCO 320および第2のPLL/VCO 330を含めて備えることができる。1つの例示的な実施形態によれば、RFモジュール232は、2つのPLL/VCO(たとえば、第1のPLL/VCO 320および第2のPLL/VCO 330)を含み得る。
【００２９】
第1のPLL/VCO 320は、第1の分周器325と結合することができる。第1のPLL/VCO 320は、参照周波数Frefを有する参照信号を制御ユニット210から受け取り、信号を第1の分周器325へ出力することができる。第1のPLL/VCO 320と第1の分周器325の組合せは、参照信号の位相および周波数(すなわち、Fref)に同期している分周信号を生成し出力するように構成することができる。
【００３０】
第2のPLL/VCO 330は、第2の分周器335と結合することができる。第2のPLL/VCO 330は、参照周波数Frefを有する参照信号を制御ユニット210から受け取り、信号を第2の分周器335へ出力することができる。第2のPLL/VCO 330と第2の分周器335の組合せは、参照信号の位相および周波数(すなわち、Fref)に同期している信号を生成し出力するように構成することができる。
【００３１】
1つの実施形態では、PLL/VCOからの出力信号は、非分周出力信号とすることができ、それによって分周器を省略することが可能になる。
【００３２】
モバイル通信デバイス110は、現在のRB割振りに従って送信経路300を経由してデータを通信ネットワーク120へ送信していてよい。制御ユニット210は、モバイル通信デバイス110の次にくるRB割振りを通信ネットワーク120から受け取ることができる。たとえば、制御ユニット210には、次にくるRB割振りが物理的ダウンリンク制御チャネル(PDCCH)上で、(たとえば、4〜8スロット期間)先立って通知され得る。
【００３３】
次にくるRB割振りは、現在のRB割振りとは異なり得る。たとえば、次にくるRB割振りは、帯域幅および/または周波数範囲が現在のRB割振りとは異なり得る。単一のRBは帯域幅が約180kHzであり得るが、他の帯域幅が使用されることもある。
【００３４】
1つの実施形態では、モバイル通信デバイス110がデータを次にくるRB割振りに従って送信するのに、制御ユニット210は、第1のPLL/VCO 320および第2のPLL/VCO 330のうちの現在使用されていないものを選択してよい。制御ユニット210は、第1のPLL/VCO 320および第2のPLL/VCO 330のうちの選択されたものを、次にくるRB割振りの帯域幅(すなわち、割振りRBの数)に基づいた目標周波数に同調させることができる。
【００３５】
たとえば、次にくるRB割振りの帯域幅が狭い場合(すなわち、割振りRBの数が閾値x以下、ここでxは、6または他の整数に等しいとすることができる)、制御ユニット210は、第1のPLL/VCO 320および第2のPLL/VCO 330のうちの選択されたものを、割振りRBに対応する周波数(たとえば、割振りRBの中心周波数)に同調させることができる。
【００３６】
1つの例示的な実施形態では、制御ユニット210は、次にくるRB割振りに対応する周波数をルックアップテーブル(LUT)に基づいて決定することができる。たとえば、制御ユニット210は、モバイル通信デバイス110がデータを次にくるRB割振りに従って送信するように、第1のPLL/VCO 320および第2のPLL/VCO 330のうちの選択されたものを同調させる目標周波数をLUTに基づいて決定してよい。様々な実施形態では、LUTは、1つまたは複数のRB割振り(たとえば、各周波数帯域内)と、たとえば、限定ではないが、第1のPLL/VCO 320および/または第2のPLL/VCO 330を含む複数のPLL/VCOの各々を同調させる目標周波数との間の対応関係を提示することができる。
【００３７】
あるいは、次にくるRB割振りの帯域幅が狭くない場合(すなわち、割振りRBの数が閾値xを超える、ここでxは、6または他の整数に等しいとすることができる)、制御ユニット210は、第1のPLL/VCO 320および第2のPLL/VCO 330のうちの選択されたものを、割当てチャネルに対応する周波数(たとえば、割り当てられたE-UTRA絶対無線周波数チャネル番号(EARFCN)の中心周波数)に同調させることができる。
【００３８】
制御ユニット210は、目標周波数(たとえば、割振りRBまたは割当てEARFCNに対応する周波数)を得るために、第1のPLL/VCO 320および第2のPLL/VCO 330のうちの選択されたものに対して粗同調(CT)較正を行うことができる。いくつかの実施形態では、制御ユニット210は、第1のPLL/VCO 320および第2のPLL/VCO 330のうちの選択されたものに対してCT較正を行い、第1のPLL/VCO 320および第2のPLL/VCO 330のうちの選択されたものを目標周波数に安定させるようにする。あるいは、いくつかの実施形態では、制御ユニット210は、第1のPLL/VCO 320および第2のPLL/VCO 330のうちの選択されたものに対してCT較正を実行し、また2点変調(TPM)を実行して目標周波数を得ることができる。
【００３９】
PLLセレクタ340は、1つまたは複数の制御信号を制御ユニット210から受け取るように構成することができる。1つの例示的な実施形態によれば、PLLセレクタ340は、第1のPLL/VCO 320および第1の分周器325によって、または第2のPLL/VCO 330および第2の分周器335によって生成された分周信号を制御ユニット210からの1つまたは複数の制御信号に基づいて選択して、送信経路300へ出力することができる。制御ユニット210は、次にくるRB割振りに従って第1のシンボル(すなわち、シンボル#0)がモバイル通信デバイス110から送信される間に、PLLセレクタ340が切り替えを実行するように構成することができる。加えて、切り替えは、シンボル(たとえば、シンボル#0)のサイクリックプレフィックス(CP)の送信中に実行することもできる。
【００４０】
送信経路300は、デジタル信号を制御ユニット210から受け取り、そのデジタル信号をアナログ信号に変換するように構成されたデジタル-アナログコンバータ(DAC)302を含み得る。
【００４１】
送信経路300はさらに、ベースバンドフィルタ(BBF)304を含み得る。BBF304は、DAC 302からアナログ信号を受け取るように構成することができる。BBF304はさらに、制御ユニット210から1つまたは複数の制御信号を受け取るように構成することができる。制御ユニット210からの1つまたは複数の制御信号に基づいて、BBF 304は、DAC 302から受け取ったアナログ信号の帯域幅を変更してベースバンド信号(すなわち、フィルタリングされたアナログ信号)を生成するように構成することができる。
【００４２】
送信経路300は、混合器306を含み得る。混合器306は、PLLセレクタ340からの分周信号をBBF 304からのベースバンド信号で変調してアップコンバート信号を生成するように構成することができる。いくつかの実施形態では、RB割振りの帯域幅が狭いとき(すなわち、割振りRBの数がx以下)、PLLセレクタ340からの分周信号は、次にくるRB割振りに対応する周波数(たとえば、次にくるRB割振りの中心周波数)とすることができる。あるいは、RB割振りの帯域幅が狭くないとき(すなわち、割振りRBの数がxを超える)、PLLセレクタ340からの分周信号は、割当てチャネル(たとえば、割当てEARFCNの中心周波数)に対応し得る。アップコンバートされた信号は、次にくるRB割振りに対応する周波数(たとえば、次にくるRB割振りの中心周波数)を有し得る。
【００４３】
様々な実施形態では、BBF 304は、RB割振りの要求周波数と、送信経路300において受け取った(たとえば、PLLセレクタ340からの)分周信号の同調周波数とに基づいてベースバンド信号を生成するように構成することができる。たとえば、BBF 304によって生成されるベースバンド信号の周波数は、ベースバンド信号を分周信号で変調すると、次にくるRB割振りの要求周波数(たとえば、次にくるRB割振りの中心周波数)においてアップコンバート信号が生成されるように調整することができる。
【００４４】
送信経路300はさらに、増幅器(amp)308を含み得る。amp 308は、混合器306からのアップコンバートされた信号を送信のために増幅するように構成することができる。
【００４５】
アンテナ234は、増幅された信号をamp 308から受け取り、その増幅された信号を送信することができる。たとえば、amp 308からの増幅された信号は、アンテナ234を介してサブスクリプション115によって通信ネットワーク120(たとえば、第1のeNodeB 122または第2のeNodeB 124)へ送信することができる。
【００４６】
当業者には、RFモジュール232が、追加の、および/または図3Aに示されたものと異なる構成要素を本開示の範囲から逸脱することなく含み得ることが理解できる。たとえば、図示されていないが、当業者には、RFモジュール232が受信経路を本開示の範囲から逸脱することなく付加的に含み得ることが理解できる。
【００４７】
図3Bは、いくつかの実施形態によるRFモジュール232の一実施形態を示すブロック図である。図1、図2、および図3A〜3Bを参照すると、RFモジュール232は、送信経路300およびPLLセレクタ340を含み得る。送信経路300は、DAC 302、BBF 304、混合器306、およびamp 308を含み得る。
【００４８】
RFモジュール232は、第3の分周器350を含み得る。いくつかの実施形態では、第3の分周器350は、たとえば、限定ではないが、第1のPLL/VCO 320および第2のPLL/VCO 330を含む複数のPLL/VCOの間で共有されてよい。1つの例示的な実施形態によれば、第3の分周器350は、2つのPLL/VCO(たとえば、第1のPLL/VCO 320と第2のPLL/VCO 330)の間で共有されてよい。しかし、当業者には、RFモジュール232が、本開示の範囲から逸脱することなくPLL/VCOと分周器の別の組合せを含み得ることが理解できる。
【００４９】
様々な実施形態では、制御ユニット210は、現在のRB割振りと異なる次にくるRB割振りを受け取ることに応じて、第1のPLL/VCO 320および第2のPLL/VCO 330のうちの1つを選択し、同調させることができる。たとえば、第1のPLL/VCO 320および第2のPLL/VCO 330のうちの一方が、現在のRB割振りに従ってデータを送信するのに使用されてよい。そのため、制御ユニット210は、第1のPLL/VCO 320および第2のPLL/VCO 330のうちの現在使用されていないもう一方を選択し、次にくるRB割振りの帯域幅(すなわち、割振りRBの数)に基づいた目標周波数に同調させることができる。
【００５０】
制御ユニット210は、次にくるRB割振りの帯域幅が狭い場合に(すなわち、割振りRBの数が閾値x以下)、第1のPLL/VCO 320および第2のPLL/VCO 330のうちの選択されたものを割振りRBに対応する周波数に同調させることができる。あるいは、制御ユニット210は、次にくるRB割振りの帯域幅が狭くない場合に(すなわち、割振りRBの数が閾値xを超える)、第1のPLL/VCO 320および第2のPLL/VCO 330のうちの選択されたものを割当てチャネルに対応する周波数(たとえば、割当てEARFCNの中心周波数)に同調させることができる。さらに、制御ユニット210は、PLLセレクタ340が、第1のPLL/VCO 320および第2のPLL/VCO 330のうちの選択されたものからの出力信号に切り替わるようにすることができる(たとえば、シンボル#0のCP中に)。
【００５１】
いくつかの実施形態では、PLLセレクタ340は、1つまたは複数の制御信号を制御ユニット210から受け取るように構成することができる。制御ユニット210からの1つまたは複数の制御信号に基づいて、PLLセレクタ340は、第1のPLL/VCO 320および第2のPLL/VCO 330のうちの一方から電圧制御された信号を直接選択することができる。PLLセレクタ340はさらに、第1のPLL/VCO 320および第2のPLL/VCO 330のうちの選択されたものからの電圧制御された信号を第3の分周器350へ出力することができる。第3の分周器350は分周信号を送信経路300へ出力することができ、ここで分周信号は、混合器306によって、BBF 304からの(たとえば、適切な周波数の)ベースバンド信号で変調され、またアンテナ234を使用して送信するためにamp 308によって増幅される。
【００５２】
当業者には、RFモジュール232が、追加の、および/または図3Bに示されたものと異なる構成要素を本開示の範囲から逸脱することなく含み得ることが理解できる。たとえば、図示されていないが、当業者には、RFモジュール232が受信経路を本開示の範囲から逸脱することなく付加的に含み得ることが理解できる。
【００５３】
図4は、様々な実施形態による周波数ホッピングアップリンク送信の処理400を示す流れ図である。図1〜4を参照すると、処理400は制御ユニット210によって実行することができる。
【００５４】
制御ユニット210は、現在のRB割振りに従って、複数のLOのうちの1つを利用してデータを送信する(402)。たとえば、制御ユニット210は第1のPLL/VCO 320を、現在のRB割振りに対応する周波数の信号を生成するように同調させていてよい。そのため、第1のPLL/VCO 320は、現在のRB割振りに対応する周波数(たとえば、現在のRB割振りの中心周波数)の、または割当てチャネルに対応する周波数(たとえば割当てEARFCNの中心周波数)の、電圧制御された信号を生成していてよい。1つの例示的な実施形態によれば、制御ユニット210はまた、1つまたは複数の制御信号をPLLセレクタ340へ送信していて、PLLセレクタ340が、複数のPLL/VCOのうちの別のもの(たとえば、第2のPLL/VCO 330)によってではなく、第1のPLL/VCO 320によって出力された電圧制御信号へ切り替わってもよい。
【００５５】
制御ユニット210は、次にくるRB割振りを受け取ることができる(404)。たとえば、制御ユニット210は、モバイル通信デバイス110に対する次にくるRB割振りを通信ネットワーク120から(たとえば、第1のeNodeB 122または第2のeNodeB 124を介して)PDCCH上で、(たとえば、4〜8スロット期間)先立って受け取ることができる。
【００５６】
制御ユニット210は、次にくるRB割振りが現在のRB割振りと同じであるかどうかを判定することができる(405)。たとえば、制御ユニット210は、現在のRB割振りと次にくるものとを比較して、次にくるRB割振りの帯域幅および/または周波数範囲が現在のRB割振りの帯域幅および/または周波数範囲と異なるかどうかを判定することができる。
【００５７】
制御ユニット210が、次にくるRB割振りが現在のRB割振りと同じであると判定した場合(405-Y)、制御ユニット210は、現在のRB割振りに従って、現在使用されているLOを利用し続けてデータを送信することができる(414)。たとえば、次にくるRB割振りの帯域幅および/または周波数範囲が現在のRB割振りの帯域幅および/または周波数範囲と同じである場合、制御ユニット210は、第1のPLL/VCO 320を利用し続けて、現在のRB割振りに対応する周波数の、または割当てチャネルに対応する周波数(たとえば、割当てEARFCNの中心周波数)の、電圧制御された信号を生成することができる。
【００５８】
制御ユニット210が、次にくるRB割振りが現在のRB割振りと同じでない(すなわち、異なる)と判定した場合(405-N)、制御ユニット210は、複数のLOのうち使用されていないLOを選択することができる(406)。たとえば、制御ユニット210が、次にくるRB割振りにある帯域幅および/または周波数範囲が現在のRB割振りとは異なると判定した場合、制御ユニット210は、データを送信するのに、現在のRB割振りに従って現在は使用されていない第2のPLL/VCO 330を選択することができる。
【００５９】
制御ユニット210は、次にくるRB割振りに関連する割振りRBの数が閾値を超えているかどうかを判定することができる(407)。たとえば、制御ユニット210は、次にくるRB割振りの帯域幅が狭い(すなわち、次にくる割振りRBの数が閾値以下)か、それとも狭くない(すなわち、次にくる割振りRBの数が閾値を超える)かを判定することができる。
【００６０】
制御ユニット210が、次にくるRB割振りに関連する割振りRBの数が閾値を超えると判定した場合(407-Y)、制御ユニット210は第2のLOを、割当てチャネルに対応する周波数に同調させることができる(408)。たとえば、制御ユニット210が、次にくるRB割振りが狭くない(すなわち、次にくる割振りRBの数が閾値を超える)と判定した場合、制御ユニット210は、第2のPLL/VCO 330を割当てチャネル(たとえば、EARFCN)の中心周波数に同調させることができる。
【００６１】
いくつかの実施形態では、第2のLO(たとえば、第2のPLL/VCO 330)を同調させることには、CT較正を実行すること、および第2のLO(たとえば、第2のPLL/VCO 330)を割当てチャネルに対応する周波数に安定させることが含まれ得る。他の実施形態では、制御ユニット210は、CT較正およびTPMを実行することによって、第2のLO(たとえば、第2のPLL/VCO 330)を同調させることができる。
【００６２】
あるいは、制御ユニット210は、次にくる割振りRBの数が閾値を超えないと判定する場合がある(407-N)。そのため、制御ユニット210は第2のLOを、次にくるRB割振りに対応する周波数に同調させることができる(410)。たとえば、制御ユニット210が、次にくるRB割振りが狭いと判定した場合(すなわち、次にくる割振りRBの数が閾値以下)、制御ユニット210は第2のLOを、次にくるRB割振りの中心周波数に同調させることができる。
【００６３】
1つの例示的な実施形態によれば、制御ユニット210は、次にくるRB割振りに対応する周波数をLUTに基づいて決定することができる。たとえば、制御ユニット210は、モバイル通信デバイス110がデータを次にくるRB割振りに従って送信するように、第2のLOを同調させる目標周波数をLUTに基づいて決定してよい。様々な実施形態では、LUTは、1つまたは複数のRB割振り(たとえば、各周波数帯域における)と、たとえば、限定ではないが、第1のPLL/VCO 320および第2のPLL/VCO 330を含む複数のPLL/VCOの各々を同調させる周波数との間の対応関係を提示することができる。
【００６４】
いくつかの実施形態では、第2のLO(たとえば、第2のPLL/VCO 330)を同調させることには、CT較正を実行すること、および第2のLO(たとえば、第2のPLL/VCO 330)を割当てチャネルに対応する周波数に安定させることが含まれ得る。他の実施形態では、制御ユニット210は、CT較正およびTPMを実行することによって、第2のLO(たとえば、第2のPLL/VCO 330)を同調させることができる。
【００６５】
制御ユニット210は、次にくるRB割振りに従って、第2のLOを利用してデータを送信することができる(412)。たとえば、1つの実施形態では、第1のPLL/VCO 320および第2のPLL/VCO 330は各々、対応する分周器(たとえば、第1の分周器325および第2の分周器335)と結合されてよい。そのため、制御ユニット210は、PLLセレクタ340を第1の分周器325によって出力された分周信号から、第2の分周器335によって出力された分周信号へ切り替える1つまたは複数の信号をPLLセレクタ340へ送信することができる。
【００６６】
あるいは、他の実施形態では、第1のPLL/VCO 320と第2のPLL/VCO 330は、単一の分周器(たとえば、第3の分周器350)を共有することができる。そのため、制御ユニット210は、1つまたは複数の制御信号をPLL 340へ送信して、PLLセレクタ340を第1のPLL/VCO 320によって出力された電圧制御信号から、第2のPLL/VCO 330によって出力された電圧制御信号へ切り替えることができる。
【００６７】
1つの例示的な実施形態によれば、制御ユニット210は、第1のシンボル(すなわち、シンボル#0)が次にくるRB割振りに従ってモバイル通信デバイス110から送信される間に、PLLセレクタ340に切り替えを実行させることができる。切り替えはさらに、シンボル(たとえば、シンボル#0)のCPの送信中に実行することもできる。
【００６８】
添付の特許請求の範囲およびその等価物は、その保護の範囲および趣旨に入るそのような形態または修正を包含するものである。たとえば、本明細書に記載の例示的な装置、方法、およびシステムは、多数の通信ネットワークおよび/または通信技術に加入するマルチSIMワイヤレスデバイスに適用することができる。図に示された様々な構成要素は、たとえば、限定ではないが、プロセッサ、ASIC/FPGA/DSPまたは専用ハードウェア上の、ソフトウェアおよび/またはファームウェアとして実施することができる。また、上記で開示された特定の例示的実施形態の特徴および属性は、別の方法で組み合わせて、さらなる実施形態を形成することもでき、そのすべてが本開示の範囲内に入る。
【００６９】
以上の方法説明およびプロセス流れ図は、説明的な例として提供されているにすぎず、この方法の動作が提示された順序で実行されなければならないことを要求または暗示するものではない。動作のいくつかは、様々な順序で実行されてよい。「その後」、「次いで」、「次に」などの単語は、動作の順序を限定するものではなく、これらの単語は単に、方法の説明を通じて読者を導くために使用される。
【００７０】
本明細書で諸実施形態に関連して記述された様々な説明的な論理ブロック、モジュール、回路、および動作は、電子的ハードウェア、コンピュータソフトウェア、または両方の組合せとして実施することができる。このハードウェアとソフトウェアの交換可能性を明確に示すために、様々な説明的な構成要素、ブロック、モジュール、回路、および動作が、一般にその機能に関して上述されている。そのような機能がハードウェアとして実装されるのか、それともソフトウェアとして実装されるのかは、特定の適用例および全体的なシステムに課される設計制約で決まる。当業者には、説明された機能を個々の用途ごとに様々に実施することが可能であるが、そのような実施決定が本開示の範囲からの逸脱を引き起こすと解釈されるべきではない。
【００７１】
本明細書に開示された様々な実施形態に関連して記述された様々な説明的な論理回路、論理ブロック、モジュール、および回路を実施するために使用されるハードウェアは、本明細書に記載の機能を実行するように設計された汎用プロセッサ、デジタル信号プロセッサ(DSP)、特定用途向け集積回路(ASIC)、フィールドプログラマブルゲートアレイ(FPGA)もしくは他のプログラム可能論理デバイス、個別ゲートもしくはトランジスタ論理回路、個別ハードウェア構成要素、またはこれらの任意の組合せを用いて実施または実行することができる。汎用プロセッサはマイクロプロセッサでよいが、代替形態では、プロセッサは任意の従来のプロセッサ、コントローラ、マイクロコントローラ、または状態機械であり得る。プロセッサはまた、受信機デバイスの組合せ、たとえば、DSPとマイクロプロセッサの組合せ、複数のマイクロプロセッサ、DSPコアと組み合わせた1つまたは複数のマイクロプロセッサ、または他のそのような任意の構成として実施されてよい。あるいは、いくつかの動作または方法は、所与の機能専用の回路構成によって実行されてもよい。
【００７２】
1つまたは複数の例示的な実施形態では、説明された機能は、ハードウェア、ソフトウェア、ファームウェア、またはこれらの組合せの形で実施されてよい。ソフトウェアで実施される場合に、機能を、非一時的コンピュータ可読記憶媒体上または非一時的プロセッサ可読記憶媒体上の1つまたは複数の命令またはコードとして記憶することができる。本明細書で開示された動作の方法またはアルゴリズムは、非一時的コンピュータ可読またはプロセッサ可読記憶媒体上に常駐することができるプロセッサ実行可能命令として具現化することができる。非一時的コンピュータ可読またはプロセッサ可読記憶媒体は、コンピュータまたはプロセッサによってアクセスされる場合がある任意の記憶媒体であってもよい。限定ではなく例として、そのような非一時的コンピュータ可読またはプロセッサ可読記憶媒体には、ランダムアクセスメモリ(RAM)、読み出し専用メモリ(ROM)、電気的消去可能プログラム可能読み出し専用メモリ(EEPROM)、フラッシュメモリ、CD-ROMもしくは他の光ディスク記憶装置、磁気ディスクもしくは他の磁気記憶デバイス、または、所望のプログラムコードを命令もしくはデータ構造の形で記憶するために使用できる、かつコンピュータがアクセスできる、任意の他の媒体が含まれ得る。本明細書で用いられるディスク(disk)およびディスク(disc)には、コンパクトディスク(disc)(CD)、レーザーディスク(登録商標) (disc)、光ディスク(disc)、デジタルビデオディスク(disc)(DVD)、フロッピー(登録商標)ディスク(disk)、およびブルーレイディスク(disc)が含まれ、ディスク(disk)は通常、データを磁気的に再生するのに対し、ディスク(disc)はデータをレーザーで光学的に再生する。上記の組合せもまた、非一時的コンピュータ可読およびプロセッサ可読の媒体の範囲に含まれる。加えて、動作の方法またはアルゴリズムは、コンピュータプログラム製品に組み込むことができる非一時なプロセッサ可読記憶媒体および/またはコンピュータ可読記憶媒体上に、コードおよび/または命令の、1つもしくは任意の組合せまたはセットとして常駐することができる。
【００７３】
本開示ではいくつかの例示的な実施形態および適用例を提示しているが、当業者には明らかな他の実施形態もまた、本明細書で論述された特徴および利点のすべてを提供することはない実施形態を含めて、本開示の範囲内にある。したがって、本開示の範囲は、添付の特許請求の範囲を参照することによってのみ定義されるものである。
【符号の説明】
【００７４】
100  ネットワーク環境
110  モバイル通信デバイス
115  サブスクリプション
120  通信ネットワーク
122  第1のeNodeB
124  第2のeNodeB
210  制御ユニット
220  通信ユニット
230  RF回路
232  RFモジュール
234  アンテナ
240  加入者識別モジュール(SIM)
250  ユーザインターフェース
252  入力ユニット
254  出力ユニット
260  記憶ユニット
300  送信経路
302  デジタル-アナログコンバータ(DAC)
304  ベースバンドフィルタ
306  混合器
308  増幅器(amp)
320  第1の位相ロックループ/電圧制御発振器(PLL/VCO)
325  第1の分周器
330  第2のPLL/VCO
335  第2の分周器
340  PLLセレクタ
350  第3の分周器
【図１】
2018534820.tif 000003
【図２】
2018534820.tif 000004
【図３Ａ】
2018534820.tif 000005
【図３Ｂ】
2018534820.tif 000006
【図４】
2018534820.tif 000007
【国際調査報告】
2018534820.tif 000008
2018534820.tif 000009